(57)【要約】  本願実施例は、情報構成方法および装置、端末、ネットワーク機器を提供し、前記情報構成方法は、端末が、ターゲット基地局によって送信される第１構成情報を受信することであって、前記第１構成情報は、少なくとも１つのセカンダリノード構成を含む、ことと、前記第１構成情報が１つのセカンダリノード構成を含む場合、前記端末が、前記第１構成情報を受信した後、前記１つのセカンダリノード構成がアクティブ状態になることと、前記第１構成情報が複数のセカンダリノード構成を含む場合、前記端末が、非アクティブ状態でのセル信号測定結果に基づいて、前記複数のセカンダリノード構成から１つのセカンダリノード構成を選択し、前記１つのセカンダリノード構成を前記ターゲット基地局に通知することにより、前記１つのセカンダリノード構成がアクティブ状態になるようにすることとを含む。
2022501860.tif 000002
【特許請求の範囲】
【請求項１】
情報構成方法であって、
端末が、ターゲット基地局によって送信される第１構成情報を受信することであって、前記第１構成情報は、少なくとも１つのセカンダリノード構成を含む、ことと、
前記端末が、前記少なくとも１つのセカンダリノード構成からターゲットセカンダリノード構成を決定し、前記ターゲットセカンダリノード構成がアクティブ状態になるようにトリガすることと、を含む、前記情報構成方法。
【請求項２】
前記端末が、前記少なくとも１つのセカンダリノード構成からターゲットセカンダリノード構成を決定し、前記ターゲットセカンダリノード構成がアクティブ状態になるようにトリガすることは、
前記第１構成情報が複数のセカンダリノード構成を含む場合、前記端末は、非アクティブ状態でのセル信号測定結果に基づいて、前記複数のセカンダリノード構成における１つのセカンダリノード構成をターゲットセカンダリノード構成として選択し、前記ターゲットセカンダリノード構成に対応するインデックス情報を前記ターゲット基地局に送信することにより、前記ターゲットセカンダリノード構成がアクティブ状態になるようにすることを含む、
請求項１に記載の情報構成方法。
【請求項３】
前記端末が、前記少なくとも１つのセカンダリノード構成からターゲットセカンダリノード構成を決定し、前記ターゲットセカンダリノード構成がアクティブ状態になるようにトリガすることは、
前記第１構成情報が１つのセカンダリノード構成を含む場合、前記端末は、前記第１構成情報を受信した後、前記１つのセカンダリノード構成をターゲットセカンダリノード構成として決定し、前記ターゲットセカンダリノード構成がアクティブ状態になることを含む、
請求項１または２に記載の情報構成方法。
【請求項４】
各前記セカンダリノード構成は、少なくとも１つのセルの構成情報を含み、前記端末は、前記少なくとも１つのセルのうちの１つのセルを、前記セカンダリノードのプライマリセルおよびセカンダリセルとして決定する、
請求項１ないし３のいずれか一項に記載の情報構成方法。
【請求項５】
前記少なくとも１つのセルは、１つの第１セルおよび／または少なくとも１つの第２セルを含み、前記第１セルは、ネットワーク側によって構成されたプライマリセルおよびセカンダリセルであり、前記第２セルは、ネットワーク側によって構成されたセカンダリセルであり、前記端末によって決定されたプライマリセルおよびセカンダリセルは、ネットワーク側によって構成されたプライマリセルおよびセカンダリセルと同じまたは異なる、
請求項４に記載の情報構成方法。
【請求項６】
前記ターゲットセカンダリノード構成がアクティブ状態になることは、
前記ターゲットセカンダリノード構成において、前記端末によって決定されたプライマリセルおよびセカンダリセルは、アクティブ状態にあり、前記端末によって決定されたセカンダリセルは、非アクティブ状態にあることを含む、
請求項４または５に記載の情報構成方法。
【請求項７】
前記情報構成方法は、
前記端末が、非アクティブ状態でのセル信号測定結果、および／または前記端末によって決定された、前記ターゲットセカンダリノード構成におけるプライマリセルおよびセカンダリセルの識別子情報を前記ターゲット基地局に送信することをさらに含み、前記非アクティブ状態でのセル信号測定結果は、前記ターゲット基地局が、前記ターゲットセカンダリノード構成における少なくとも１つのセカンダリセルに対してアクティブ化コマンドを発行するようにトリガするために使用される、
請求項６に記載の情報構成方法。
【請求項８】
前記プライマリセルおよびセカンダリセルの識別子情報は、前記プライマリセルおよびセカンダリセルの物理セル識別子、前記プライマリセルおよびセカンダリセルのセル識別子、および前記ターゲットセカンダリノード構成における前記プライマリセルおよびセカンダリセルのインデックス情報のうちの少なくとも１つを含む、
請求項７に記載の情報構成方法。
【請求項９】
前記情報構成方法は、
前記端末が、非アクティブ状態でのセル信号測定結果に基づいて、前記ターゲットセカンダリノード構成から、アクティブ化された少なくとも１つのセルを決定し、前記アクティブ化された少なくとも１つのセルの識別子情報を前記ターゲット基地局に送信することをさらに含み、前記少なくとも１つのセルは、端末側によって決定された１つのプライマリセルおよびセカンダリセル、および／または少なくとも１つのセカンダリセルを含む、
請求項６に記載の情報構成方法。
【請求項１０】
前記少なくとも１つのセルの識別子情報は、
前記１つのプライマリセルおよびセカンダリセル、および／または少なくとも１つのセカンダリセルの各物理セル識別子、
前記１つのプライマリセルおよびセカンダリセル、および／または少なくとも１つのセカンダリセルの各セル識別子、
前記ターゲットセカンダリノード構成における、前記１つのプライマリセルおよびセカンダリセル、および／または少なくとも１つのセカンダリセルの各インデックス情報、および
前記ターゲットセカンダリノード構成における前記１つのプライマリセルおよびセカンダリセルのインデックス情報および／または第１ビットマップ情報、のうちの少なくとも１つを含み、前記第１ビットマップ情報における各ビットは、前記ターゲットセカンダリノード構成における１つのセカンダリセルに対応し、前記ビットの値は、対応するセカンダリセルがアクティブ状態にあるか否かを示すために使用される、
請求項９に記載の情報構成方法。
【請求項１１】
前記端末が、ターゲット基地局によって送信される第１構成情報を受信することは、
端末が第１要求メッセージをターゲット基地局に送信することであって、前記第１要求メッセージは、ＲＲＣ接続を回復するために使用される、ことと、
前記端末が、前記ターゲット基地局によって送信される第１応答メッセージを受信することであって、前記第１応答メッセージは、前記第１構成情報を含む、こととを含む、
請求項１ないし１０のいずれか一項に記載の情報構成方法。
【請求項１２】
前記ターゲット基地局側に少なくとも１つの隣接基地局の構成情報が設定され、前記第１構成情報は、前記少なくとも１つの隣接基地局の構成情報に基づいて前記ターゲット基地局によって決定されたものである、
請求項１１に記載の情報構成方法。
【請求項１３】
前記端末は、デュアル接続モードをサポートし、前記デュアル接続モードでは、前記ターゲット基地局が、ターゲットマスタノードとして使用され、前記ターゲットセカンダリノードとデュアル接続ネットワークを構成する、
請求項１ないし１２のいずれか一項に記載の情報構成方法。
【請求項１４】
情報構成方法であって、
ターゲット基地局が第１構成情報を端末に送信することを含み、前記第１構成情報は、少なくとも１つのセカンダリノード構成を含み、前記少なくとも１つのセカンダリノード構成は、前記端末がターゲットセカンダリノード構成を決定し、前記ターゲットセカンダリノード構成がアクティブ状態になるようにトリガするために使用される、前記情報構成方法。
【請求項１５】
前記情報構成方法は、
前記第１構成情報が複数のセカンダリノード構成を含む場合、前記ターゲット基地局は、前記端末によって送信されるターゲットセカンダリノード構成に対応するインデックス情報を受信することをさらに含み、前記ターゲットセカンダリノード構成は、前記端末が非アクティブ状態でのセル信号測定結果に基づいて、前記複数のセカンダリノード構成から選択した１つのセカンダリノード構成であり、前記ターゲットセカンダリノード構成はアクティブ状態にある、
請求項１４に記載の情報構成方法。
【請求項１６】
前記第１構成情報が１つのセカンダリノード構成を含む場合、前記ターゲット基地局が前記第１構成情報を前記端末に送信した後、前記１つのセカンダリノード構成は、前記端末によって、アクティブ状態のターゲットセカンダリノード構成として決定される、
請求項１４または１５に記載の情報構成方法。
【請求項１７】
各前記セカンダリノード構成は、少なくとも１つのセルの構成情報を含み、前記セカンダリノードのプライマリセルおよびセカンダリセルは、前記少なくとも１つのセルから前記端末によって決定されたものである、
請求項１４ないし１６のいずれか一項に記載の情報構成方法。
【請求項１８】
前記少なくとも１つのセルは、１つの第１セルおよび／または少なくとも１つの第２セルを含み、前記第１セルは、ネットワーク側によって構成されたプライマリセルおよびセカンダリセルであり、前記第２セルは、ネットワーク側によって構成されたセカンダリセルであり、前記端末によって決定されたプライマリセルおよびセカンダリセルは、ネットワーク側によって構成されたプライマリセルおよびセカンダリセルと同じまたは異なる、
請求項１７に記載の情報構成方法。
【請求項１９】
前記ターゲットセカンダリノード構成がアクティブ状態になることは、
前記ターゲットセカンダリノード構成において、前記端末によって決定されたプライマリセルおよびセカンダリセルはアクティブ状態にあり、前記端末によって決定されたセカンダリセルは非アクティブ状態にあることを含む、
請求項１７または１８に記載の情報構成方法。
【請求項２０】
前記情報構成方法は、
前記ターゲット基地局が、前記端末によって送信された非アクティブ状態でのセル信号測定結果、および／または前記端末によって決定された、前記ターゲットセカンダリノード構成におけるプライマリセルおよびセカンダリセルの識別子情報を受信することと、
前記ターゲット基地局が、前記非アクティブ状態でのセル信号測定結果に基づいて、前記ターゲットセカンダリノード構成における少なくとも１つのセカンダリセルに対してアクティブ化コマンドを発行することと、をさらに含む、
請求項１９に記載の情報構成方法。
【請求項２１】
前記プライマリセルおよびセカンダリセルの識別子情報は、前記プライマリセルおよびセカンダリセルの物理セル識別子、前記プライマリセルおよびセカンダリセルのセル識別子、および前記ターゲットセカンダリノード構成における前記プライマリセルおよびセカンダリセルのインデックス情報のうちの少なくとも１つを含む、
請求項２０に記載の情報構成方法。
【請求項２２】
前記情報構成方法は、
前記ターゲット基地局が、前記端末によって送信される少なくとも１つのアクティブ化されたセルの識別子情報を受信することをさらに含み、前記少なくとも１つのセルは、端末側が非アクティブ状態でのセル信号測定結果に基づいて、前記ターゲットセカンダリノード構成から決定した１つのプライマリセルおよびセカンダリセル、および／または少なくとも１つのセカンダリセルを含む、
請求項１９に記載の情報構成方法。
【請求項２３】
前記少なくとも１つのセルの識別子情報は、
前記１つのプライマリセルおよびセカンダリセル、および／または少なくとも１つのセカンダリセルの各物理セル識別子、
前記１つのプライマリセルおよびセカンダリセル、および／または少なくとも１つのセカンダリセルの各セル識別子、
前記ターゲットセカンダリノード構成における、前記１つのプライマリセルおよびセカンダリセル、および／または少なくとも１つのセカンダリセルの各インデックス情報、および
前記ターゲットセカンダリノード構成における前記１つのプライマリセルおよびセカンダリセルのインデックス情報、および／または第１ビットマップ情報、のうちの少なくとも１つを含み、前記第１ビットマップ情報における各ビットは、前記ターゲットセカンダリノード構成における１つのセカンダリセルに対応し、前記ビットの値は、対応するセカンダリセルがアクティブ状態にあるか否かを示すために使用される、
請求項２２に記載の情報構成方法。
【請求項２４】
前記ターゲット基地局が第１構成情報を端末に送信することは、
前記ターゲット基地局が、前記端末によって送信される第１要求メッセージを受信することであって、前記第１要求メッセージはＲＲＣ接続を回復するために使用される、ことと、
前記ターゲット基地局が、第１応答メッセージを前記端末に送信することであって、前記第１応答メッセージは前記第１構成情報を含む、ことと、を含む、
請求項１４ないし２３のいずれか一項に記載の情報構成方法。
【請求項２５】
前記ターゲット基地局側に少なくとも１つの隣接基地局の構成情報が設定され、
前記ターゲット基地局は、前記少なくとも１つの隣接基地局の構成情報に基づいて前記第１構成情報を決定する、
請求項２４に記載の情報構成方法。
【請求項２６】
前記デュアル接続モードでは、前記ターゲット基地局は、ターゲットマスタノードとして使用され、前記ターゲットセカンダリノードとデュアル接続ネットワークを構成する、
請求項１４ないし２５のいずれか一項に記載の情報構成方法。
【請求項２７】
情報構成装置であって、通信ユニットと、処理ユニットと、を備え、
前記通信ユニットは、ターゲット基地局によって送信される第１構成情報を受信するように構成され、前記第１構成情報は、少なくとも１つのセカンダリノード構成を含み、
前記処理ユニットは、前記少なくとも１つのセカンダリノード構成からターゲットセカンダリノード構成を決定し、前記ターゲットセカンダリノード構成がアクティブ状態になるようにトリガするように構成される、前記情報構成装置。
【請求項２８】
前記第１構成情報が複数のセカンダリノード構成を含む場合、前記処理ユニットは、非アクティブ状態でのセル信号測定結果に基づいて、前記複数のセカンダリノード構成における１つのセカンダリノード構成をターゲットセカンダリノード構成として選択し、前記通信ユニットは、前記ターゲットセカンダリノード構成に対応するインデックス情報を前記ターゲット基地局に送信することにより、前記ターゲットセカンダリノード構成がアクティブ状態になるようにする、
請求項２７に記載の情報構成装置。
【請求項２９】
前記第１構成情報が１つのセカンダリノード構成を含む場合、前記通信ユニットが前記第１構成情報を受信した後、前記処理ユニットは、前記１つのセカンダリノード構成をターゲットセカンダリノード構成として決定し、前記ターゲットセカンダリノード構成がアクティブ状態になる、
請求項２７または２８に記載の情報構成装置。
【請求項３０】
各前記セカンダリノード構成は、少なくとも１つのセルの構成情報を含み、
前記処理ユニットは、前記少なくとも１つのセルのうちの１つのセルを、前記セカンダリノードのプライマリセルおよびセカンダリセルとして決定する、
請求項２７ないし２９のいずれか一項に記載の情報構成装置。
【請求項３１】
前記少なくとも１つのセルは、１つの第１セルおよび／または少なくとも１つの第２セルを含み、前記第１セルは、ネットワーク側によって構成されたプライマリセルおよびセカンダリセルであり、前記第２セルは、ネットワーク側によって構成されたセカンダリセルであり、前記処理ユニットによって決定されたプライマリセルおよびセカンダリセルは、ネットワーク側によって構成されたプライマリセルおよびセカンダリセルと同じまたは異なる、
請求項３０に記載の情報構成装置。
【請求項３２】
前記ターゲットセカンダリノード構成がアクティブ状態になることは、
前記ターゲットセカンダリノード構成において、前記端末によって決定されたプライマリセルおよびセカンダリセルはアクティブ状態にあり、前記端末によって決定されたセカンダリセルは非アクティブ状態にあることを含む、
請求項３０または３１に記載の情報構成装置。
【請求項３３】
前記通信ユニットは、さらに、非アクティブ状態でのセル信号測定結果、および／または前記端末によって決定された、前記ターゲットセカンダリノード構成におけるプライマリセルおよびセカンダリセルの識別子情報を前記ターゲット基地局に送信するように構成され、前記非アクティブ状態でのセル信号測定結果は、前記ターゲット基地局が、前記ターゲットセカンダリノード構成における少なくとも１つのセカンダリセルに対してアクティブ化コマンドを発行するようにトリガするために使用される、
請求項３２に記載の情報構成装置。
【請求項３４】
前記プライマリセルおよびセカンダリセルの識別子情報は、前記プライマリセルおよびセカンダリセルの物理セル識別子、前記プライマリセルおよびセカンダリセルのセル識別子、および前記ターゲットセカンダリノード構成における前記プライマリセルおよびセカンダリセルのインデックス情報のうちの少なくとも１つを含む、
請求項３３に記載の情報構成装置。
【請求項３５】
前記処理ユニットは、さらに、非アクティブ状態でのセル信号測定結果に基づいて、前記ターゲットセカンダリノード構成から、アクティブ化された少なくとも１つのセルを決定するように構成され、前記少なくとも１つのセルは、端末側によって決定された１つのプライマリセルおよびセカンダリセル、および／または少なくとも１つのセカンダリセルを含み、
前記通信ユニットは、前記アクティブ化された少なくとも１つのセルの識別子情報を前記ターゲット基地局に送信するように構成される、
請求項３２に記載の情報構成装置。
【請求項３６】
前記少なくとも１つのセルの識別子情報は、
前記１つのプライマリセルおよびセカンダリセル、および／または少なくとも１つのセカンダリセルの各物理セル識別子、
前記１つのプライマリセルおよびセカンダリセル、および／または少なくとも１つのセカンダリセルの各セル識別子、
前記ターゲットセカンダリノード構成における、前記１つのプライマリセルおよびセカンダリセル、および／または少なくとも１つのセカンダリセルの各インデックス情報、および
前記ターゲットセカンダリノード構成における前記１つのプライマリセルおよびセカンダリセルのインデックス情報および／または第１ビットマップ情報、のうちの少なくとも１つを含み、前記第１ビットマップ情報における各ビットは、前記ターゲットセカンダリノード構成における１つのセカンダリセルに対応し、前記ビットの値は、対応するセカンダリセルがアクティブ状態にあるか否かを示すために使用される、
請求項３５に記載の情報構成装置。
【請求項３７】
前記通信ユニットは、第１要求メッセージをターゲット基地局に送信し、前記ターゲット基地局によって送信される第１応答メッセージを受信するように構成され、前記第１要求メッセージはＲＲＣ接続を回復するために使用され、前記第１応答メッセージは前記第１構成情報を含む、
請求項２７ないし３６のいずれか一項に記載の情報構成装置。
【請求項３８】
前記ターゲット基地局側に少なくとも１つの隣接基地局の構成情報が設定され、前記第１構成情報は、前記少なくとも１つの隣接基地局の構成情報に基づいて前記ターゲット基地局によって決定されたものである、
請求項３７に記載の情報構成装置。
【請求項３９】
前記端末はデュアル接続モードをサポートし、前記デュアル接続モードでは、前記ターゲット基地局は、ターゲットマスタノードとして使用され、前記ターゲットセカンダリノードとデュアル接続ネットワークを構成する、
請求項２７ないし３８のいずれか一項に記載の情報構成装置。
【請求項４０】
情報構成装置であって、通信ユニットを備え、
前記通信ユニットは、第１構成情報を端末に送信するように構成され、前記第１構成情報は、少なくとも１つのセカンダリノード構成を含み、前記少なくとも１つのセカンダリノード構成は、前記端末がターゲットセカンダリノード構成を決定し、前記ターゲットセカンダリノード構成がアクティブ状態になるようにトリガするために使用される、前記情報構成装置。
【請求項４１】
前記第１構成情報が複数のセカンダリノード構成を含む場合、前記通信ユニットは、前記端末によって送信されるターゲットセカンダリノード構成に対応するインデックス情報を受信し、前記ターゲットセカンダリノード構成は、前記端末が非アクティブ状態でのセル信号測定結果に基づいて、前記複数のセカンダリノード構成から選択した１つのセカンダリノード構成であり、前記ターゲットセカンダリノード構成はアクティブ状態にある、
請求項４０に記載の情報構成装置。
【請求項４２】
前記第１構成情報が１つのセカンダリノード構成を含む場合、前記通信ユニットが前記第１構成情報を前記端末に送信した後、前記１つのセカンダリノード構成は、アクティブ状態になり、前記端末によってターゲットセカンダリノード構成として使用される、
請求項４０または４１に記載の情報構成装置。
【請求項４３】
各前記セカンダリノード構成は、少なくとも１つのセルの構成情報を含み、前記セカンダリノードのプライマリセルおよびセカンダリセルは、前記少なくとも１つのセルから前記端末によって決定されたものである、
請求項４０ないし４２のいずれか一項に記載の情報構成装置。
【請求項４４】
前記少なくとも１つのセルは、１つの第１セルおよび／または少なくとも１つの第２セルを含み、前記第１セルは、ネットワーク側によって構成されたプライマリセルおよびセカンダリセルであり、前記第２セルは、ネットワーク側によって構成されたセカンダリセルであり、前記端末によって決定されたプライマリセルおよびセカンダリセルは、ネットワーク側によって構成されたプライマリセルおよびセカンダリセルと同じまたは異なる、
請求項４３に記載の情報構成装置。
【請求項４５】
前記ターゲットセカンダリノード構成がアクティブ状態になることは、
前記ターゲットセカンダリノード構成において、前記端末によって決定されたプライマリセルおよびセカンダリセルはアクティブ状態にあり、前記端末によって決定されたセカンダリセルは非アクティブ状態にあることを含む、
請求項４３または４４に記載の情報構成装置。
【請求項４６】
前記通信ユニットは、前記端末によって送信された非アクティブ状態でのセル信号測定結果、および／または前記端末によって決定された、前記ターゲットセカンダリノード構成におけるプライマリセルおよびセカンダリセルの識別子情報を受信し、前記非アクティブ状態でのセル信号測定結果に基づいて、前記ターゲットセカンダリノード構成における少なくとも１つのセカンダリセル対してアクティブ化コマンドを発行するように構成される、
請求項４５に記載の情報構成装置。
【請求項４７】
前記プライマリセルおよびセカンダリセルの識別子情報は、前記プライマリセルおよびセカンダリセルの物理セル識別子、前記プライマリセルおよびセカンダリセルのセル識別子、および前記ターゲットセカンダリノード構成における前記プライマリセルおよびセカンダリセルのインデックス情報のうちの少なくとも１つを含む、
請求項４６に記載の情報構成装置。
【請求項４８】
前記通信ユニットは、前記端末によって送信される少なくとも１つのアクティブ化されたセルの識別子情報を受信するように構成され、前記少なくとも１つのセルは、端末側が非アクティブ状態でのセル信号測定結果に基づいて、前記ターゲットセカンダリノード構成から決定した１つのプライマリセルおよびセカンダリセル、および／または少なくとも１つのセカンダリセルを含む、
請求項４５に記載の情報構成装置。
【請求項４９】
前記少なくとも１つのセルの識別子情報は、
前記１つのプライマリセルおよびセカンダリセル、および／または少なくとも１つのセカンダリセルの各物理セル識別子、
前記１つのプライマリセルおよびセカンダリセル、および／または少なくとも１つのセカンダリセルの各セル識別子、
前記ターゲットセカンダリノード構成における、前記１つのプライマリセルおよびセカンダリセル、および／または少なくとも１つのセカンダリセルの各インデックス情報、および
前記ターゲットセカンダリノード構成における前記１つのプライマリセルおよびセカンダリセルのインデックス情報および／または第１ビットマップ情報、のうちの少なくとも１つを含み、前記第１ビットマップ情報における各ビットは、前記ターゲットセカンダリノード構成における１つのセカンダリセルに対応し、前記ビットの値は、対応するセカンダリセルがアクティブ状態にあるか否かを示すために使用される、
請求項４８に記載の情報構成装置。
【請求項５０】
前記通信ユニットは、前記端末によって送信される第１要求メッセージを受信し、第１応答メッセージを前記端末に送信するように構成され、前記第１要求メッセージはＲＲＣ接続を回復するために使用され、前記第１応答メッセージは前記第１構成情報を含む、
請求項４０ないし４９のいずれか一項に記載の情報構成装置。
【請求項５１】
前記ターゲット基地局側に少なくとも１つの隣接基地局の構成情報が設定され、前記情報構成装置は、さらに、処理ユニットを備え、
前記処理ユニットは、前記少なくとも１つの隣接基地局の構成情報に基づいて前記第１構成情報を決定するように構成される、
請求項５０に記載の情報構成装置。
【請求項５２】
前記デュアル接続モードでは、前記ターゲット基地局は、ターゲットマスタノードとして使用され、前記ターゲットセカンダリノードとデュアル接続ネットワークを構成する、
請求項４０ないし５１のいずれか一項に記載の情報構成装置。
【請求項５３】
端末であって、プロセッサと、メモリと、を備え、前記メモリは、コンピュータプログラムを記憶するように構成され、前記プロセッサは、前記メモリに記憶されたコンピュータプログラムを呼び出して実行することにより、請求項１ないし１３のいずれか一項に記載の方法を実行するように構成される、前記端末。
【請求項５４】
ネットワーク機器であって、プロセッサと、メモリと、を備え、前記メモリ、コンピュータプログラムを記憶するように構成され、前記プロセッサは、前記メモリに記憶されたコンピュータプログラムを呼び出して実行することにより、請求項１４ないし２６のいずれか一項に記載の方法を実行するように構成される、前記ネットワーク機器。
【請求項５５】
チップであって、プロセッサを備え、前記プロセッサは、メモリからコンピュータプログラムを呼び出して実行することにより、前記チップが搭載された機器に、請求項１ないし１３のいずれか一項に記載の方法を実行させるように構成される、前記チップ。
【請求項５６】
チップであって、プロセッサを備え、前記プロセッサは、メモリからコンピュータプログラムを呼び出して実行することにより、前記チップが搭載された機器に、請求項１４ないし２６のいずれか一項に記載の方法を実行させるように構成される、前記チップ。
【請求項５７】
コンピュータ可読記憶媒体であって、コンピュータプログラムを記憶するように構成され、前記コンピュータプログラムは、コンピュータに、請求項１ないし１３のいずれか一項に記載の方法を実行させるように構成される、前記コンピュータ可読記憶媒体。
【請求項５８】
コンピュータ可読記憶媒体であって、コンピュータプログラムを記憶するように構成され、前記コンピュータプログラムは、コンピュータに、請求項１４ないし２６のいずれか一項に記載の方法を実行させるように構成される、前記コンピュータ可読記憶媒体。
【請求項５９】
コンピュータに、請求項１ないし１３のいずれか一項に記載の方法を実行させるように構成されるコンピュータプログラム命令を含む、コンピュータプログラム製品。
【請求項６０】
コンピュータに、請求項１４ないし２６のいずれか一項に記載の方法を実行させるように構成されるコンピュータプログラム命令を含む、コンピュータプログラム製品。
【請求項６１】
コンピュータに、請求項１ないし１３のいずれか一項に記載の方法を実行させるように構成される、コンピュータプログラム。
【請求項６２】
コンピュータに、請求項１４ないし２６のいずれか一項に記載の方法を実行させるように構成される、コンピュータプログラム。
【発明の詳細な説明】
【技術分野】
【０００１】
本願実施例は、移動通信技術分野に関し、特に、情報構成方法および装置、端末、ネットワーク機器に関する。
【背景技術】
【０００２】
サービスの速度、遅延、高速モビリティ、エネルギー効率に対する人々の追求、および将来の生活中のサービスの多様性と複雑さを満たすために、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）国際標準化機構は、第５世代（５Ｇ：５ｔｈ  Ｇｅｎｅｒａｔｉｏｎ）モバイル通信技術の開発を開始した。
【０００３】
５Ｇモバイル通信技術のエアインターフェイス部分はニューラジオ（ＮＲ：Ｎｅｗ  Ｒａｄｉｏ）と呼ばれ、ＮＲの初期の展開では、完全なＮＲカバレッジを実現することは困難であるため、一般的なネットワークカバレッジはロングタームエボリューション（ＬＴＥ：Ｌｏｎｇ  Ｔｅｒｍ  Ｅｖｏｌｕｔｉｏｎ）カバレッジとＮＲカバレッジの組み合わせである。さらに、ＬＴＥへのモバイルオペレータの初期投資を保護するために、ＬＴＥとＮＲの間の緊密なインターワーキング（ｔｉｇｈｔ  ｉｎｔｅｒｗｏｒｋｉｎｇ）モードが提案されている。もちろん、ＮＲセルは独立して展開することもできる。
【０００４】
デュアル接続（ＤＣ：Ｄｕａｌ  Ｃｏｎｎｅｃｔｉｖｉｔｙ）アーキテクチャにより、端末は２つのリンクを介してネットワークにアクセスできる。ＤＣネットワークは、マスタノード（ＭＮ：Ｍａｓｔｅｒ  Ｎｏｄｅ）とセカンダリノード（ＳＮ：Ｓｅｃｏｎｄａｒｙ  Ｎｏｄｅ）を含み、通常、ＭＮは、ＵＥの測定報告結果に基づいて、ＳＮを追加するか否か、またはＳＮを更新するか否かを決定する。ＤＣモードのＵＥが非アクティブ（ｉｎａｃｔｉｖｅ）状態に入った後、無線リソース制御（ＲＲＣ：Ｒａｄｉｏ  Ｒｅｓｏｕｒｃｅ  Ｃｏｎｔｒｏｌ）が再度回復される場合、ＭＳＧ４でＵＥに適切なＳＮ情報を設定できない。
【発明の概要】
【発明が解決しようとする課題】
【０００５】
本願実施例は、情報構成方法および装置、端末、ネットワーク機器を提供する。
【課題を解決するための手段】
【０００６】
本願実施例による情報構成方法は、
端末が、ターゲット基地局によって送信される第１構成情報を受信することであって、前記第１構成情報は、少なくとも１つのセカンダリノード構成を含む、ことと、
前記端末が、前記少なくとも１つのセカンダリノード構成からターゲットセカンダリノード構成を決定し、前記ターゲットセカンダリノード構成がアクティブ状態になるようにトリガすることと、を含む。
【０００７】
本願実施例による情報構成方法は、
ターゲット基地局が第１構成情報を端末に送信することを含み、前記第１構成情報は、少なくとも１つのセカンダリノード構成を含み、前記少なくとも１つのセカンダリノード構成は、前記端末がターゲットセカンダリノード構成を決定し、前記ターゲットセカンダリノード構成がアクティブ状態になるようにトリガするために使用される。
【０００８】
本願実施例による情報構成装置は、通信ユニットと、処理ユニットと、を備え、
前記通信ユニットは、ターゲット基地局によって送信される第１構成情報を受信するように構成され、前記第１構成情報は、少なくとも１つのセカンダリノード構成を含み、
前記処理ユニットは、前記少なくとも１つのセカンダリノード構成からターゲットセカンダリノード構成を決定し、前記ターゲットセカンダリノード構成がアクティブ状態になるようにトリガするように構成される。
【０００９】
本願実施例による情報構成装置は、通信ユニットを備え、
前記通信ユニットは、第１構成情報を端末に送信するように構成され、前記第１構成情報は、少なくとも１つのセカンダリノード構成を含み、前記少なくとも１つのセカンダリノード構成は、前記端末がターゲットセカンダリノード構成を決定し、前記ターゲットセカンダリノード構成がアクティブ状態になるようにトリガするために使用される。
【００１０】
本願実施例による端末は、プロセッサと、メモリとを備える。当該メモリは、コンピュータプログラムを記憶するように構成され、当該プロセッサは、当該メモリに記憶されたコンピュータプログラムを呼び出して実行することにより、上記の情報構成方法を実行するように構成される。
【００１１】
本願実施例によるネットワーク機器は、プロセッサと、メモリとを備える。当該メモリは、コンピュータプログラムを記憶するように構成され、当該プロセッサは、当該メモリに記憶されたコンピュータプログラムを呼び出して実行することにより、上記の情報構成方法を実行するように構成される。
【００１２】
本願実施例によるチップは、上記の情報構成方法を実現するために使用される。
【００１３】
具体的には、当該チップはプロセッサを備え、当該プロセッサは、メモリからコンピュータプログラム呼び出して実行することにより、前記チップが搭載された機器に、上記の情報構成方法を実行させるように構成される。
【００１４】
本願実施例によるコンピュータ可読記憶媒体は、コンピュータプログラムを記憶するように構成され、当該コンピュータプログラムは、コンピュータに、上記の情報構成方法を実行させるように構成される。
【００１５】
本願実施例によるコンピュータプログラム製品は、コンピュータプログラム命令を含み、当該コンピュータプログラム命令は、コンピュータに、上記の情報構成方法を実行させるように構成される。
【００１６】
本願実施例によるコンピュータプログラムは、コンピュータで実行される時に、コンピュータに、上記の情報構成方法を実行させるように構成される。
【発明の効果】
【００１７】
本願実施例の技術的解決策では、基地局は、端末に１つまたは複数のＳＮ構成を構成し、基地局が端末に１つのＳＮ構成を構成する場合、当該ＳＮ構成はアクティブ状態にあり、基地局が端末に複数のＳＮ構成を構成する場合、端末は、測定結果に基づいて適切なＳＮ構成を選択して基地局に通知し、基地局が当該ＳＮ構成をアクティブ化するようにトリガすることにより、ｉｎａｃｔｉｖｅ状態の端末が迅速かつ正確にＳＮを回復するという目的を達成する。
【図面の簡単な説明】
【００１８】
ここで説明される添付の図面は、本願を一層理解させるためのものであり、本願の一部を構成する。本願の例示的な実施例及びその説明は、本願を解釈するためのものであり、本願を不適切に限定するものではない。
【図１】本願実施例による通信システムアーキテクチャの概略図である。
【図２】本願実施例によるＥＮ−ＤＣの全体的なネットワークアーキテクチャの図である。
【図３】本願実施例による情報構成方法の例示的なフローチャート１である。
【図４】本願実施例による情報構成方法の例示的なフローチャート２である。
【図５】本願実施例による情報構成装置の構成を示す概略図である。
【図６】本願実施例による通信機器の例示的な構造図である。
【図７】本願実施例のチップの例示的な構造図である。
【図８】本願実施例による通信システムの例示的なブロック図である。
【発明を実施するための形態】
【００１９】
以下、本願実施例における添付の図面を参照して、本願実施例における技術的解決策を説明するが、明らかに、説明される実施例は、本願実施例の一部であるが、全部ではない。本願実施例に基づいて、創造的な努力なしに当業者によって得られる他のすべての実施例は、本願の保護範囲に含まれるものとする。
【００２０】
本願実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは５Ｇシステムなどの様々な通信システムに適用されることができる。
【００２１】
例示的に、図１は、本願実施例が適用される通信システム１００を示す。前記通信システム１００は、ネットワーク機器１１０を含み得、ネットワーク機器１１０は、端末１２０（または通信端末、端末機器と呼ばれる）と通信する機器であってもよい。ネットワーク機器１１０は、特定の地理的エリアに通信カバレッジを提供することができ、当該カバレッジエリア内に位置する端末機器と通信することができる。例示的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、または、前記ネットワーク機器は、モバイルスイッチングセンタ、リレーステーション、アクセスポイント、車載機器、ウェアラブル機器、ハブ、スイッチ、ブリッジ、ルータ、５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００２２】
前記通信システム１００は、ネットワーク機器１１０のカバレッジエリア内にある少なくとも１つの端末１２０をさらに含む。ここで使用される「端末」は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ：Ｄｉｇｉｔａｌ  Ｓｕｂｓｃｒｉｂｅｒ  Ｌｉｎｅ）、デジタルケーブル、直接ケーブルを介した接続などの有線回線接続を介した、および／または別のデータ接続／ネットワークを介した、および／または、セルラーネットワーク、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）、ＤＶＢ−Ｈネットワークなどのデジタルテレビネットワーク、衛星ネットワーク、ＡＭ−ＦＭ放送送信機などに対する無線インターフェースを介した、および／または別の端末の、通信信号を送受信するように設定された装置、および／または物事のインターネットシステム（ＩｏＴ：Ｉｎｔｅｒｎｅｔ  ｏｆ  Ｔｈｉｎｇｓ）機器を含むが、これらに限定されない。無線インターフェースを介して通信するように構成された端末は、「無線通信端末」、「無線端末」または「モバイル端末」と呼ばれることができる。モバイル端末の例は、衛星または携帯電話、セルラー無線電話とデータ処理、ファックスおよびデータ通信能力を組み合わせることができるパーソナル通信システム（ＰＣＳ：  Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダおよび／またはグローバルポジショニングシステム（ＧＰＳ：Ｇｌｏｂａｌ  Ｐｏｓｉｔｉｏｎｉｎｇ  Ｓｙｓｔｅｍ）受信器を含むことができるＰＤＡ、および従来のラップトップ型および／またはハンドヘルド型受信器または無線電話トランシーバを含む他の電子装置を含むが、これらに限定されない。端末は、アクセス端末、ユーザ機器（ＵＥ：Ｕｓｅｒ  Ｅｑｕｉｐｍｅｎｔ）、ユーザユニット、加入者局、移動局、移動コンソール、遠隔局、遠隔端末、モバイルデバイス、ユーザ端末、端末、無線通信デバイス、ユーザエージェント、またはユーザ装置を指し得る。アクセス端末は、携帯電話、コードレス電話、セッション開始プロトコル（ＳＩＰ：Ｓｅｓｓｉｏｎ  Ｉｎｉｔｉａｔｉ
ｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび５Ｇネットワークの端末または将来進化するＰＬＭＮにおける端末などであり得る。
【００２３】
例示的に、端末機器１２０間で装置対装置（Ｄ２Ｄ：Ｄｅｖｉｃｅ  ｔｏ  Ｄｅｖｉｃｅ）通信を実行してもよい。
【００２４】
例示的に、５Ｇシステムまたは５Ｇネットワークは、ニューラジオ（ＮＲ：Ｎｅｗ  Ｒａｄｉｏ）システムまたはＮＲネットワークと呼ばれてもよい。
【００２５】
図１は、１つのネットワーク機器および２つの端末を例示的に示す。例示的に、前記通信システム１００は、複数のネットワーク機器を含んでもよく、かつ各ネットワーク機器のカバレッジエリアは、他の数の端末を含んでもよいが、本願実施例はこれを限定するものではない。
【００２６】
例示的に、当該通信システム１００は、ネットワークコントローラ、モバイル管理エンティティなどの他のネットワークエンティティをさらに含んでもよいが、本願実施例はこれを限定するものではない。
【００２７】
本願実施例では、ネットワーク／システムにおける通信機能を備えた機器が通信機器と呼ばれてもよいことを理解されたい。図１に示される通信システム１００を例にとると、通信機器は、通信機能を備えたネットワーク機器１１０および端末１２０を含むことができ、ネットワーク機器１１０および端末１２０は、上記の特定の機器であってもよく、ここでは繰り返して説明しない。通信機器は、ネットワークコントローラ、モバイル管理エンティティなどの他のネットワークエンティティなど、通信システム１００における他の機器をさらに含んでもよいが、本願実施例はこれを限定するものではない。
【００２８】
本明細書における「システム」および「ネットワーク」という用語は、本明細書で常に互換可能に使用されることを理解されたい。本明細書において、「および／または」という用語は、単に関連するオブジェクトを説明する関連関係であり、３つの関係が存在できることを示し、例えば、ａおよび／またはｂは、ａのみが存在し、ａおよびｂが存在し、ｂのみが存在するという３つの状況を示すことができる。さらに、本明細書における記号「／」は、通常、関連するオブジェクト間の関係が、「または」という関係にあることを示す。
【００２９】
本発明の実施例による技術的解決策は、主に５Ｇ移動通信システムに適用されるが、もちろん、本発明の実施例による技術的解決策は、５Ｇ移動通信システムに限定されず、他のタイプの移動通信システムにも適用できる。以下、５Ｇ移動通信システムにおける主な適用シナリオについて説明する。
【００３０】
（１）ｅＭＢＢシナリオ：ｅＭＢＢは、ユーザがマルチメディアコンテンツ、サービス、およびデータを取得することを目的としており、そのサービス需要は非常に急速に増加している。ｅＭＢＢは屋内、都市部、農村部などの様々なシナリオで配備でき、そのサービス機能と需要の違いも比較的大きいため、具体的な配備シナリオと組み合わせてサービスを分析する必要がある。
【００３１】
（２）ＵＲＬＬＣシナリオにおいて、ＵＲＬＬＣの典型的な応用は、工業自動化、電力自動化、遠隔医療運用、および交通安全保証を含む。
【００３２】
（３）ｍＭＴＣシナリオ：ｍＭＴＣの典型的な特性は、高接続密度、小データ量、遅延の影響を受けないサービス、モジュールの低コストと長いサービス寿命などを含む。
【００３３】
一方、ＤＣアーキテクチャは、ＥＮ−ＤＣ、ＮＥ−ＤＣ、５ＧＣ−ＥＮ−ＤＣ、およびＮＲ  ＤＣを含む。ここで、ＥＮ−ＤＣでは、ＬＴＥノードはＭＮノードとして使用され、ＮＲノードはＳＮノードとして使用され、ＥＰＣコアネットワークに接続する。ＮＥ−ＤＣでは、ＮＲはＭＮノードとして使用され、ｅＬＴＥはＳＮノードとして使用され、５ＧＣコアネットワークに接続する。５ＧＣ−ＥＮ−ＤＣでは、ｅＬＴＥノードはＭＮとして機能し、ＮＲノードはＳＮとして機能し、５ＧＣコアネットワークに接続する。ＮＲ  ＤＣでは、ＮＲはＭＮノードとして使用され、ＮＲはＳＮノードとして使用され、５ＧＣコアネットワークに接続する。
【００３４】
図２を参照すると、図２はＥＮ−ＤＣの全体的なネットワークアーキテクチャ図であり、ここで、ｅＮＢはＬＴＥ基地局であり、ｇＮＢはＮＲ基地局であり、ＥＰＣコアネットワークはＭＭＥ／Ｓ−ＧＷを含む。
【００３５】
ＲＲＣ接続回復プロセスの場合、ＵＥはＭＳＧ３（ＲＲＣ  Ｒｅｓｕｍｅ  Ｒｅｑｕｅｓｔメッセージ）をターゲット基地局側に送信する。その後、ＵＥ側はＳＲＢ１を回復し、アクセス層（ＡＳ）セキュリティをアクティブ化する。ＳＲＢ１でＭＳＧ４を受信するのを待機する。同時に、ＭＳＧ４は全てのベアラ構成を同時に回復する。
【００３６】
一般に、ＭＮは、ＵＥの測定報告結果に基づいて、ＳＮを追加するか否か、またはＳＮを更新するか否かを決定する。ＤＣモードのＵＥが非アクティブ（ｉｎａｃｔｉｖｅ）状態に入った後、再度回復する場合、ＭＮは、ＭＳＧ４メッセージでＵＥに適切なＳＮ情報を設定できない。
【００３７】
図３は、本願実施例による情報構成方法の例示的なフローチャート１であり、図３に示されるように、前記情報構成方法は以下のステップを含む。
【００３８】
ステップ３０１において、端末が、ターゲット基地局によって送信される第１構成情報を受信し、前記第１構成情報は、少なくとも１つのセカンダリノード構成を含む。
【００３９】
本願実施例では、前記端末は、携帯電話、タブレットコンピュータ、車載端末、ノートブックコンピュータなど、ネットワークと通信できる任意の機器であり得る。
【００４０】
本願実施例では、前記ターゲット基地局とは、現在端末にサービスを提供している基地局を指し、ｅＮＢまたはｇＮＢであり得る。
【００４１】
本願実施例では、前記端末はＤＣモードをサポートし、即ち、前記端末は、ＭＮおよびＳＮを介してコアネットワークにアクセスすることができる。
【００４２】
本願実施例では、端末が第１要求メッセージをターゲット基地局に送信し、前記第１要求メッセージはＲＲＣ接続を回復するために使用され、前記端末が、前記ターゲット基地局によって送信される第１応答メッセージを受信し、前記第１応答メッセージは前記第１構成情報を含む。
【００４３】
さらに、前記ターゲット基地局側に少なくとも１つの隣接基地局の構成情報が設定され、前記第１構成情報は、前記ターゲット基地局が前記少なくとも１つの隣接基地局の構成情報によって決定されたものである。
【００４４】
ここで、前記隣接基地局の構成情報は、隣接基地局に含まれるセル情報、隣接基地局に含まれる各セルの能力情報、隣接基地局に含まれる各セルのカバレッジのうちの少なくとも１つを含む。
【００４５】
ここで、前記隣接基地局の構成情報は、隣接基地局に含まれるセル情報、隣接基地局に含まれる各セルの能力情報、隣接基地局に含まれる各セルのカバレッジのうちの少なくとも１つを含む。ＵＥは、ＲＲＣ  Ｒｅｓｕｍｅ  Ｒｅｑｕｅｓｔメッセージ（即ち、第１要求メッセージ）をターゲット基地局に送信し、ターゲット基地局は、元のサービング基地局から端末のコンテキスト情報を取得し、端末のコンテキスト情報がＤＣ構成情報を含む場合、ターゲット基地局は、ＳＮ構成を選択することができる。具体的には、ターゲット基地局は、隣接基地局の構成情報（隣接基地局に含まれるセル情報、隣接基地局に含まれる各セルの能力情報、隣接基地局に含まれる各セルのカバレッジなど）に従って、１つまたは複数のＳＮ構成を追加することを決定し、ここで、各ＳＮ構成は１つのインデックス値に関連付けられており、同時に、各ＳＮ構成は、１つのＰｓｃｅｌｌ構成および少なくとも１つのｓｃｅｌｌ構成を含む。ターゲット基地局は、ＭＳＧ４メッセージを介して、上記の１つまたは複数のＳＮ構成をＵＥに送信する。
【００４６】
前記端末が、前記少なくとも１つのセカンダリノード構成からターゲットセカンダリノード構成を決定し、前記ターゲットセカンダリノード構成がアクティブ状態になるようにトリガすることと、を含む、前記情報構成方法。
【００４７】
本願実施例では、第１構成情報は、１つのセカンダリノード構成を含んでもよいし、複数のセカンダリノード構成を含んでもよい。以下、各ケースについて説明する。
【００４８】
（１）前記第１構成情報が１つのセカンダリノード構成を含む場合、前記端末は、前記第１構成情報を受信した後、前記１つのセカンダリノード構成をターゲットセカンダリノード構成として決定し、前記ターゲットセカンダリノード構成がアクティブ状態になる。
【００４９】
ここで、ターゲット基地局が端末に１つのＳＮ構成を構成する場合、ターゲット基地局がＭＳＧ４（前記１つのＳＮ構成を搬送する）を端末に送信した後、当該ＳＮ構成はアクティブ状態になる。
【００５０】
（２）前記第１構成情報が複数のセカンダリノード構成を含む場合、前記端末は、非アクティブ状態（ｉｎａｃｔｉｖｅ状態）でのセル信号測定結果に基づいて、前記複数のセカンダリノード構成における１つのセカンダリノード構成をターゲットセカンダリノード構成として選択し、前記ターゲットセカンダリノード構成に対応するインデックス情報を前記ターゲット基地局に送信することにより、前記ターゲットセカンダリノード構成がアクティブ状態になるようにする。
【００５１】
ここで、ターゲット基地局が端末に複数のＳＮ構成を構成する場合、ターゲット基地局がＭＳＧ４（前記複数のＳＮ構成を搬送する）を端末に送信した後、全てのＳＮ構成は非アクティブ状態になる。端末は、非アクティブ状態でのセル信号測定結果に基づいて、前記複数のセカンダリノード内の１つのセカンダリノード構成をターゲットセカンダリノード構成として選択し、前記ターゲットセカンダリノード構成を前記ターゲット基地局に通知することにより、前記ターゲットセカンダリノード構成がアクティブ状態になるようにする。さらに、前記第１構成情報内の各セカンダリノード構成は１つのインデックス情報に対応し、端末は、前記ターゲットセカンダリノード構成に対応するインデックス情報を前記ターゲット基地局に送信する。
【００５２】
一実施形態では、各前記セカンダリノード構成は、少なくとも１つのセルの構成情報を含み、前記端末は、前記少なくとも１つのセルのうちの１つのセルを、前記セカンダリノードのプライマリセルおよびセカンダリセル（Ｐｓｃｅｌｌ）として決定する。例えば、各ＳＮ構成は少なくとも１つのセルの構成情報を含み、この場合、端末は、少なくとも１つのセルから１つのＰｓｃｅｌｌを指定する。
【００５３】
前記少なくとも１つのセルは、１つの第１セルおよび／または少なくとも１つの第２セルを含み、前記第１セルは、ネットワーク側によって構成されたプライマリセルおよびセカンダリセルであり、前記第２セルは、ネットワーク側によって構成されたセカンダリセルであり、前記端末によって決定されたプライマリセルおよびセカンダリセルは、ネットワーク側によって構成されたプライマリセルおよびセカンダリセルと同じまたは異なる、例えば、各ＳＮ構成は、１つのＰｓｃｅｌｌの構成情報および少なくとも１つのｓｃｅｌｌの構成情報を含む。この場合、端末は、デフォルトでネットワーク側によって構成されたＰｓｃｅｌｌを使用するか、またはネットワーク側によって構成された少なくとも１つのｓｃｅｌｌから１つのＰｓｃｅｌｌを再指定することができる。
【００５４】
これに基づいて、前記ターゲットセカンダリノード構成がアクティブ状態になることは、前記ターゲットセカンダリノード構成において、前記端末によって決定されたプライマリセルおよびセカンダリセルはアクティブ状態にあり、前記端末によって決定されたセカンダリセルは非アクティブ状態にあることを含む。
【００５５】
例えば、端末はネットワーク側から複数のＳＮ構成を取得し、端末は、ｉｎａｃｔｉｖｅ状態での測定結果に基づいて、複数のＳＮ構成から１つの適切なＳＮ構成を決定し、ＭＳＧ５を介して当該ＳＮ構成のインデックス情報をターゲット基地局にフィードバックする。ＭＳＧ５を送信した後、当該ＳＮ構成はアクティブ状態になる。ただし、Ｐｓｃｅｌｌのみが使用可能であり（即ち、アクティブ状態であり）、他のｓｃｅｌｌは依然として非アクティブ状態にある。ここでのＰｓｃｅｌｌは、ネットワーク側によって構成されたものであってもよいし、端末によって再指定されたものであってもよい。
【００５６】
別の例では、端末はネットワーク側から１つのＳＮ構成を取得し、当該ＳＮ構成はアクティブ状態にある。ただし、Ｐｓｃｅｌｌのみが使用可能であり（即ち、アクティブ状態であり）、他のｓｃｅｌｌは依然として非アクティブ状態にある。ここでのＰｓｃｅｌｌは、ネットワーク側によって構成されたものであってもよいし、端末によって再指定されたものであってもよい。
【００５７】
以下の方式で、ｓｃｅｌｌのアクティブ化を実現することができる。
【００５８】
（１）前記端末が、非アクティブ状態でのセル信号測定結果、および／または前記端末によって決定された、前記ターゲットセカンダリノード構成におけるプライマリセルおよびセカンダリセルの識別子情報を前記ターゲット基地局に送信し、前記非アクティブ状態でのセル信号測定結果は、前記ターゲット基地局が、前記ターゲットセカンダリノード構成における少なくとも１つのセカンダリセルに対してアクティブ化コマンドを発行するようにトリガするために使用される。ここで、端末が測定結果をターゲット基地局に報告することにより、ターゲット基地局が、ターゲットＳＮ構成におけるＳｃｅｌｌに対してアクティブ化コマンドを発行するようにトリガする。
【００５９】
ここで、前記プライマリセルおよびセカンダリセルの識別子情報は、前記プライマリセルおよびセカンダリセルの物理セル識別子（ＰＣＩ）、前記プライマリセルおよびセカンダリセルのセル識別子（ＣＩ）、および前記ターゲットセカンダリノード構成における前記プライマリセルおよびセカンダリセルのインデックス情報のうちの少なくとも１つを含む。
【００６０】
（２）前記端末が、非アクティブ状態でのセル信号測定結果に基づいて、前記ターゲットセカンダリノード構成から、アクティブ化された少なくとも１つのセルを決定し、前記アクティブ化された少なくとも１つのセルの識別子情報を前記ターゲット基地局に送信し、前記少なくとも１つのセルは、端末側によって決定された１つのプライマリセルおよびセカンダリセル、および／または少なくとも１つのセカンダリセルを含む。ここで、現在のＵＥは、ｉｎａｃｔｉｖｅ状態での測定結果に基づいて、選定されたＳＮからアクティブ化されたセル、即ち、１つのＰｓｃｅｌｌおよび／または少なくとも１つのｓｃｅｌｌを決定する。端末は、ＭＳＧ５メッセージを介して、アクティブ化されたＰｓｃｅｌｌおよび／またはアクティブ化された少なくとも１つのｓｃｅｌｌをネットワーク側に通知する。ここで、Ｐｓｃｅｌｌは、ネットワーク側によって構成されたプライマリセルおよびセカンダリセルと同じでも異なっていてもよい。
【００６１】
ここで、前記少なくとも１つのセルの識別子情報は、
前記１つのプライマリセルおよびセカンダリセル、および／または少なくとも１つのセカンダリセルの各物理セル識別子、
前記１つのプライマリセルおよびセカンダリセル、および／または少なくとも１つのセカンダリセルの各セル識別子、
前記ターゲットセカンダリノード構成における、前記１つのプライマリセルおよびセカンダリセル、および／または少なくとも１つのセカンダリセルの各インデックス情報、および
前記ターゲットセカンダリノード構成における前記１つのプライマリセルおよびセカンダリセルのインデックス情報および／または第１ビットマップ情報、のうちの少なくとも１つを含み、前記第１ビットマップ情報における各ビットは、前記ターゲットセカンダリノード構成における１つのセカンダリセルに対応し、前記ビットの値は、対応するセカンダリセルがアクティブ状態にあるか否かを示すために使用される。
【００６２】
上記の解決策において、第１ビットマップ情報に含まれるビットの数は、ターゲットセカンダリノード構成におけるセカンダリセルの数と一致する。例えば、ＳＮ構成でネットワークによって構成された各セルのインデックス番号がそれぞれ０、１、２、３、４である場合、端末は、アクティブ化する必要のある１つのプライマリセルおよびセカンダリセルおよび少なくとも１つのセカンダリセルを決定した後、アクティブ化する必要のあるプライマリセルおよびセカンダリセルのインデックス番号（０など）、およびアクティブ化する必要のあるセカンダリセルリストに対応するビットマップをネットワークにフィードバックし、当該ｂｉｔｍａｐは４ビットを含み、各ｂｉｔは１つのセカンダリセルのインデックスに対応し、当該ｂｉｔの値は、対応するセカンダリセルがアクティブ状態にあるか否かを示す。例えば、セルインデックスが１、２、３、４である対応するｂｉｔｍａｐが０１００であることは、２番目（インデックスが２である）のセカンダリセルのみがアクティブ状態にあり、他のセルは非アクティブ状態にあることを意味する。ここで、ｂｉｔの値が１であることは、対応するセカンダリセルがアクティブ状態にあることを示すが、もちろん、ｂｉｔの値が０であることは、対応するセカンダリセルがアクティブ状態にあることを示すこともできる。
【００６３】
上記の解決策では、前記端末はデュアル接続モードをサポートし、ここで、前記デュアル接続モードでは、前記ターゲット基地局は、ターゲットマスタノードとして使用され、前記ターゲットセカンダリノードとデュアル接続ネットワークを構成する。
【００６４】
図４は、本願実施例による情報構成方法の例示的なフローチャート２であり、図４に示されるように、前記情報構成方法は以下のステップを含む。
【００６５】
ステップ４０１において、ターゲット基地局が第１構成情報を端末に送信し、前記第１構成情報は、少なくとも１つのセカンダリノード構成を含み、ここで、前記少なくとも１つのセカンダリノード構成は、前記端末がターゲットセカンダリノード構成を決定し、前記ターゲットセカンダリノード構成がアクティブ状態になるようにトリガするために使用される。
【００６６】
本願実施例では、前記ターゲット基地局とは、現在端末にサービスを提供している基地局を指し、ｅＮＢまたはｇＮＢであり得る。
【００６７】
本願実施例では、前記端末は、携帯電話、タブレットコンピュータ、車載端末、ノートブックコンピュータなど、ネットワークと通信できる任意の機器であり得る。
【００６８】
本願実施例では、前記端末はＤＣモードをサポートし、即ち、前記端末は、ＭＮおよびＳＮを介してコアネットワークにアクセスすることができる。
【００６９】
本願実施例では、ターゲット基地局は、端末によって送信される第１要求メッセージを受信し、前記第１要求メッセージはＲＲＣ接続を回復するために使用され、前記ターゲット基地局は、第１応答メッセージを前記端末に送信し、前記第１応答メッセージは前記第１構成情報を含む。
【００７０】
さらに、前記ターゲット基地局側に少なくとも１つの隣接基地局の構成情報が設定され、前記ターゲット基地局は、前記少なくとも１つの隣接基地局の構成情報に基づいて前記第１構成情報を決定する。具体的には、前記ターゲット基地局は、少なくとも１つのセカンダリノードを前記端末に追加し、前記少なくとも１つのセカンダリノードのセカンダリノード構成に基づいて、前記第１構成情報を生成する。
【００７１】
ここで、前記隣接基地局の構成情報は、隣接基地局に含まれるセル情報、隣接基地局に含まれる各セルの能力情報、隣接基地局に含まれる各セルのカバレッジのうちの少なくとも１つを含む。
【００７２】
ここで、前記隣接基地局の構成情報は、隣接基地局に含まれるセル情報、隣接基地局に含まれる各セルの能力情報、隣接基地局に含まれる各セルのカバレッジのうちの少なくとも１つを含む。ＵＥは、ＲＲＣ  Ｒｅｓｕｍｅ  Ｒｅｑｕｅｓｔメッセージ（即ち、第１要求メッセージ）をターゲット基地局に送信し、ターゲット基地局は、元のサービング基地局から端末のコンテキスト情報を取得し、端末のコンテキスト情報がＤＣ構成情報を含む場合、ターゲット基地局は、ＳＮ構成を選択することができる。具体的には、ターゲット基地局は、隣接基地局の構成情報（隣接基地局に含まれるセル情報、隣接基地局に含まれる各セルの能力情報、隣接基地局に含まれる各セルのカバレッジなど）に従って、１つまたは複数のＳＮ構成を追加することを決定し、ここで、各ＳＮ構成は１つのインデックス値に関連付けられており、同時に、各ＳＮ構成は、１つのＰｓｃｅｌｌ構成および少なくとも１つのｓｃｅｌｌ構成を含む。ターゲット基地局は、ＭＳＧ４メッセージを介して、上記の１つまたは複数のＳＮ構成をＵＥに送信する。
【００７３】
本願実施例では、第１構成情報は、１つのセカンダリノード構成を含んでもよいし、複数のセカンダリノード構成を含んでもよい。以下、各ケースについて説明する。
【００７４】
（１）前記第１構成情報が複数のセカンダリノード構成を含む場合、前記ターゲット基地局は、前記端末によって送信されるターゲットセカンダリノード構成に対応するインデックス情報を受信し、前記ターゲットセカンダリノード構成は、前記端末が非アクティブ状態でのセル信号測定結果に基づいて、前記複数のセカンダリノード構成から選択した１つのセカンダリノード構成であり、前記ターゲットセカンダリノード構成はアクティブ状態にある。
【００７５】
ここで、ターゲット基地局が端末に１つのＳＮ構成を構成する場合、ターゲット基地局がＭＳＧ４（前記１つのＳＮ構成を搬送する）を端末に送信した後、当該ＳＮ構成はアクティブ状態になる。
【００７６】
（２）前記第１構成情報が１つのセカンダリノード構成を含む場合、前記ターゲット基地局が前記第１構成情報を前記端末に送信した後、前記１つのセカンダリノード構成は、前記端末によって、アクティブ状態のターゲットセカンダリノード構成として決定される。
【００７７】
ここで、ターゲット基地局が端末に複数のＳＮ構成を構成する場合、ターゲット基地局がＭＳＧ４（前記複数のＳＮ構成を搬送する）を端末に送信した後、全てのＳＮ構成は非アクティブ状態になる。端末は、非アクティブ状態でのセル信号測定結果に基づいて、前記複数のセカンダリノード内の１つのセカンダリノード構成をターゲットセカンダリノード構成として選択し、前記ターゲットセカンダリノード構成を前記ターゲット基地局に通知することにより、前記ターゲットセカンダリノード構成がアクティブ状態になるようにする。さらに、前記第１構成情報内の各セカンダリノード構成は１つのインデックス情報に対応し、前記ターゲット基地局は、前記端末によって送信される、前記ターゲットセカンダリノード構成に対応するインデックス情報を受信する。
【００７８】
一実施形態では、各前記セカンダリノード構成は、少なくとも１つのセルの構成情報を含み、前記セカンダリノードのプライマリセルおよびセカンダリセルは、前記少なくとも１つのセルから前記端末によって決定されたものである。例えば、各ＳＮ構成は少なくとも１つのセルの構成情報を含み、この場合、端末は、少なくとも１つのセルから１つのＰｓｃｅｌｌを指定する。
【００７９】
別の実施形態では、各前記セカンダリノード構成は、少なくとも１つのセルの構成情報を含み、前記少なくとも１つのセルは、１つの第１セルおよび／または少なくとも１つの第２セルを含み、前記第１セルは、ネットワーク側によって構成されたプライマリセルおよびセカンダリセルであり、前記第２セルは、ネットワーク側によって構成されたセカンダリセルであり、前記セカンダリノードのプライマリセルおよびセカンダリセルは、前記少なくとも１つのセルから前記端末によって決定されたものであり、ここで、前記端末によって決定されたプライマリセルおよびセカンダリセルは、ネットワーク側によって構成されたプライマリセルおよびセカンダリセルと同じまたは異なる。例えば、各ＳＮ構成は、１つのＰｓｃｅｌｌの構成情報および少なくとも１つのｓｃｅｌｌの構成情報を含む。この場合、端末は、デフォルトでネットワーク側によって構成されたＰｓｃｅｌｌを使用するか、またはネットワーク側によって構成された少なくとも１つのｓｃｅｌｌから１つのＰｓｃｅｌｌを再指定することができる。
【００８０】
これに基づいて、前記ターゲットセカンダリノード構成がアクティブ状態になることは、前記ターゲットセカンダリノード構成において、前記端末によって決定されたプライマリセルおよびセカンダリセルはアクティブ状態にあり、前記端末によって決定されたセカンダリセルは非アクティブ状態にあることを含む。
【００８１】
例えば、端末はネットワーク側から複数のＳＮ構成を取得し、端末は、ｉｎａｃｔｉｖｅ状態での測定結果に基づいて、複数のＳＮ構成から１つの適切なＳＮ構成を決定し、ＭＳＧ５を介して当該ＳＮ構成のインデックス情報をターゲット基地局にフィードバックする。ＭＳＧ５を送信した後、当該ＳＮ構成はアクティブ状態になる。ただし、Ｐｓｃｅｌｌのみが使用可能であり（即ち、アクティブ状態であり）、他のｓｃｅｌｌは依然として非アクティブ状態にある。ここでのＰｓｃｅｌｌは、ネットワーク側によって構成されたものであってもよいし、端末によって再指定されたものであってもよい。
【００８２】
別の例では、端末はネットワーク側から１つのＳＮ構成を取得し、当該ＳＮ構成はアクティブ状態にある。ただし、Ｐｓｃｅｌｌのみが使用可能であり（即ち、アクティブ状態であり）、他のｓｃｅｌｌは依然として非アクティブ状態にある。ここでのＰｓｃｅｌｌは、ネットワーク側によって構成されたものであってもよいし、端末によって再指定されたものであってもよい。
【００８３】
以下の方式で、ｓｃｅｌｌのアクティブ化を実現することができる。
【００８４】
（１）前記ターゲット基地局が、前記端末によって送信された非アクティブ状態でのセル信号測定結果、および／または前記端末によって決定された、前記ターゲットセカンダリノード構成におけるプライマリセルおよびセカンダリセルの識別子情報を受信し、前記ターゲット基地局が、前記非アクティブ状態でのセル信号測定結果に基づいて、前記ターゲットセカンダリノード構成における少なくとも１つのセカンダリセルに対してアクティブ化コマンドを発行する。
【００８５】
ここで、前記プライマリセルおよびセカンダリセルの識別子情報は、前記プライマリセルおよびセカンダリセルの物理セル識別子（ＰＣＩ）、前記プライマリセルおよびセカンダリセルのセル識別子（ＣＩ）、および前記ターゲットセカンダリノード構成における前記プライマリセルおよびセカンダリセルのインデックス情報のうちの少なくとも１つを含む。
【００８６】
（２）前記ターゲット基地局が、前記端末によって送信される少なくとも１つのアクティブ化されたセルの識別子情報を受信し、前記少なくとも１つのセルは、端末側が非アクティブ状態でのセル信号測定結果に基づいて、前記ターゲットセカンダリノード構成から決定した１つのプライマリセルおよびセカンダリセル、および／または少なくとも１つのセカンダリセルを含む。
【００８７】
ここで、前記少なくとも１つのセルの識別子情報は、
前記１つのプライマリセルおよびセカンダリセル、および／または少なくとも１つのセカンダリセルの各物理セル識別子、
前記１つのプライマリセルおよびセカンダリセル、および／または少なくとも１つのセカンダリセルの各セル識別子、
前記ターゲットセカンダリノード構成における、前記１つのプライマリセルおよびセカンダリセル、および／または少なくとも１つのセカンダリセルの各インデックス情報、および
前記ターゲットセカンダリノード構成における前記１つのプライマリセルおよびセカンダリセルのインデックス情報および／または第１ビットマップ情報、のうちの少なくとも１つを含み、前記第１ビットマップ情報における各ビットは、前記ターゲットセカンダリノード構成における１つのセカンダリセルに対応し、前記ビットの値は、対応するセカンダリセルがアクティブ状態にあるか否かを示すために使用される。
【００８８】
上記の解決策において、第１ビットマップ情報に含まれるビットの数は、ターゲットセカンダリノード構成におけるセカンダリセルの数と一致する。例えば、ＳＮ構成でネットワークによって構成された各セルのインデックス番号がそれぞれ０、１、２、３、４である場合、端末は、アクティブ化する必要のある１つのプライマリセルおよびセカンダリセルおよび少なくとも１つのセカンダリセルを決定した後、アクティブ化する必要のあるプライマリセルおよびセカンダリセルのインデックス番号（例えば、０）、およびアクティブ化する必要のあるセカンダリセルリストに対応するビットマップをネットワークにフィードバックし、当該ｂｉｔｍａｐは４ビットを含み、各ｂｉｔは１つのセカンダリセルのインデックスに対応し、当該ｂｉｔの値は、対応するセカンダリセルがアクティブ状態にあるか否かを示す。例えば、セルインデックスが１、２、３、４である対応するｂｉｔｍａｐが０１００であることは、２番目（インデックスが２である）のセカンダリセルのみがアクティブ状態にあり、他のセルは非アクティブ状態にあることを意味する。ここで、ｂｉｔの値が１であることは、対応するセカンダリセルがアクティブ状態にあることを示すが、もちろん、ｂｉｔの値が０であることは、対応するセカンダリセルがアクティブ状態にあることを示すこともできる。
【００８９】
上記の解決策では、前記デュアル接続モードでは、前記ターゲット基地局は、ターゲットマスタノードとして使用され、前記ターゲットセカンダリノードとデュアル接続ネットワークを構成する。
【００９０】
図５は、本願実施例による情報構成装置の構成を示す概略図であり、図５に示されるように、前記装置は、通信ユニット５０１と、処理ユニット５０２とを備える。以下、様々な例を参照して、本願実施例の情報構成装置について説明する。
【００９１】
例１：
前記通信ユニット５０１は、ターゲット基地局によって送信される第１構成情報を受信するように構成され、前記第１構成情報は、少なくとも１つのセカンダリノード構成を含み、
前記処理ユニット５０２は、前記少なくとも１つのセカンダリノード構成からターゲットセカンダリノード構成を決定し、前記ターゲットセカンダリノード構成がアクティブ状態になるようにトリガするように構成される。
【００９２】
一実施形態では、前記第１構成情報が複数のセカンダリノード構成を含む場合、前記処理ユニット５０２は、非アクティブ状態でのセル信号測定結果に基づいて、前記複数のセカンダリノード構成における１つのセカンダリノード構成をターゲットセカンダリノード構成として選択し、前記通信ユニット５０１は、前記ターゲットセカンダリノード構成に対応するインデックス情報を前記ターゲット基地局に送信することにより、前記ターゲットセカンダリノード構成がアクティブ状態になるようにする。
【００９３】
一実施形態では、前記第１構成情報が１つのセカンダリノード構成を含む場合、前記通信ユニット５０１が前記第１構成情報を受信した後、前記処理ユニット５０２は、前記１つのセカンダリノード構成をターゲットセカンダリノード構成として決定し、前記ターゲットセカンダリノード構成がアクティブ状態になる。
【００９４】
一実施形態では、各前記セカンダリノード構成は、少なくとも１つのセルの構成情報を含み、
前記処理ユニット５０２は、前記少なくとも１つのセルのうちの１つのセルを、前記セカンダリノードのプライマリセルおよびセカンダリセルとして決定する。
【００９５】
一実施形態では、各前記セカンダリノード構成は、少なくとも１つのセルの構成情報を含み、前記少なくとも１つのセルは、１つの第１セルおよび／または少なくとも１つの第２セルを含み、前記第１セルは、ネットワーク側によって構成されたプライマリセルおよびセカンダリセルであり、前記第２セルは、ネットワーク側によって構成されたセカンダリセルである。前記処理ユニット５０２は、前記少なくとも１つのセルのうちの１つのセルを、前記セカンダリノードのプライマリセルおよびセカンダリセルとして決定し、ここで、前記処理ユニット５０２によって決定されたプライマリセルおよびセカンダリセルは、ネットワーク側によって構成されたプライマリセルおよびセカンダリセルと同じまたは異なる。
【００９６】
一実施形態では、前記ターゲットセカンダリノード構成がアクティブ状態になることは、
前記ターゲットセカンダリノード構成において、前記端末によって決定されたプライマリセルおよびセカンダリセルはアクティブ状態にあり、前記端末によって決定されたセカンダリセルは非アクティブ状態にあることを含む。
【００９７】
一実施形態では、前記通信ユニット５０１は、さらに、非アクティブ状態でのセル信号測定結果、および／または前記端末によって決定された、前記ターゲットセカンダリノード構成におけるプライマリセルおよびセカンダリセルの識別子情報を前記ターゲット基地局に送信するように構成され、前記非アクティブ状態でのセル信号測定結果は、前記ターゲット基地局が、前記ターゲットセカンダリノード構成における少なくとも１つのセカンダリセルに対してアクティブ化コマンドを発行するようにトリガするために使用される。
【００９８】
ここで、前記プライマリセルおよびセカンダリセルの識別子情報は、前記プライマリセルおよびセカンダリセルの物理セル識別子（ＰＣＩ）、前記プライマリセルおよびセカンダリセルのセル識別子（ＣＩ）、および前記ターゲットセカンダリノード構成における前記プライマリセルおよびセカンダリセルのインデックス情報のうちの少なくとも１つを含む。
【００９９】
一実施形態では、前記処理ユニット５０２は、さらに、非アクティブ状態でのセル信号測定結果に基づいて、前記ターゲットセカンダリノード構成から、アクティブ化された少なくとも１つのセルを決定するように構成され、前記少なくとも１つのセルは、端末側によって決定された１つのプライマリセルおよびセカンダリセル、および／または少なくとも１つのセカンダリセルを含み、
前記通信ユニット５０１は、前記アクティブ化された少なくとも１つのセルの識別子情報を前記ターゲット基地局に送信するように構成される。
【０１００】
ここで、前記少なくとも１つのセルの識別子情報は、
前記１つのプライマリセルおよびセカンダリセル、および／または少なくとも１つのセカンダリセルの各物理セル識別子、
前記１つのプライマリセルおよびセカンダリセル、および／または少なくとも１つのセカンダリセルの各セル識別子、
前記ターゲットセカンダリノード構成における、前記１つのプライマリセルおよびセカンダリセル、および／または少なくとも１つのセカンダリセルの各インデックス情報、および
前記ターゲットセカンダリノード構成における前記１つのプライマリセルおよびセカンダリセルのインデックス情報、および／または第１ビットマップ情報、のうちの少なくとも１つを含み、前記第１ビットマップ情報における各ビットは、前記ターゲットセカンダリノード構成における１つのセカンダリセルに対応し、前記ビットの値は、対応するセカンダリセルがアクティブ状態にあるか否かを示すために使用される。
【０１０１】
一実施形態では、前記通信ユニット５０１は、第１要求メッセージをターゲット基地局に送信し、前記ターゲット基地局によって送信される第１応答メッセージを受信するように構成され、前記第１要求メッセージはＲＲＣ接続を回復するために使用され、前記第１応答メッセージは前記第１構成情報を含む。
【０１０２】
一実施形態では、前記ターゲット基地局側に少なくとも１つの隣接基地局の構成情報が設定され、前記第１構成情報は、前記ターゲット基地局が前記少なくとも１つの隣接基地局の構成情報によって決定されたものである。
【０１０３】
一実施形態では、前記端末はデュアル接続モードをサポートし、ここで、前記デュアル接続モードでは、前記ターゲット基地局は、ターゲットマスタノードとして使用され、前記ターゲットセカンダリノードとデュアル接続ネットワークを構成する。
【０１０４】
例２：
前記通信ユニット５０１は、第１構成情報を端末に送信するように構成され、前記第１構成情報は、少なくとも１つのセカンダリノード構成を含む。ここで、前記少なくとも１つのセカンダリノード構成は、前記端末がターゲットセカンダリノード構成を決定し、前記ターゲットセカンダリノード構成がアクティブ状態になるようにトリガするために使用される。
【０１０５】
一実施形態では、前記第１構成情報が複数のセカンダリノード構成を含む場合、前記通信ユニット５０１は、前記端末によって送信されるターゲットセカンダリノード構成に対応するインデックス情報を受信し、前記ターゲットセカンダリノード構成は、前記端末が非アクティブ状態でのセル信号測定結果に基づいて、前記複数のセカンダリノード構成から選択した１つのセカンダリノード構成であり、前記ターゲットセカンダリノード構成はアクティブ状態にある。
【０１０６】
一実施形態では、前記第１構成情報が１つのセカンダリノード構成を含む場合、前記通信ユニット５０１が前記第１構成情報を前記端末に送信した後、前記１つのセカンダリノード構成は、アクティブ状態になり、前記端末によってターゲットセカンダリノード構成として使用される。
【０１０７】
一実施形態では、各前記セカンダリノード構成は、少なくとも１つのセルの構成情報を含み、前記セカンダリノードのプライマリセルおよびセカンダリセルは、前記少なくとも１つのセルから前記端末によって決定されたものである。
【０１０８】
一実施形態では、各前記セカンダリノード構成は、少なくとも１つのセルの構成情報を含み、前記少なくとも１つのセルは、１つの第１セルおよび／または少なくとも１つの第２セルを含み、前記第１セルは、ネットワーク側によって構成されたプライマリセルおよびセカンダリセルであり、前記第２セルは、ネットワーク側によって構成されたセカンダリセルであり、前記セカンダリノードのプライマリセルおよびセカンダリセルは、前記少なくとも１つのセルから前記端末によって決定されたものである。ここで、前記端末によって決定されたプライマリセルおよびセカンダリセルは、ネットワーク側によって構成されたプライマリセルおよびセカンダリセルと同じまたは異なる。
【０１０９】
一実施形態では、前記ターゲットセカンダリノード構成がアクティブ状態になることは、
前記ターゲットセカンダリノード構成において、前記端末によって決定されたプライマリセルおよびセカンダリセルはアクティブ状態にあり、前記端末によって決定されたセカンダリセルは非アクティブ状態にあることを含む。
【０１１０】
一実施形態では、前記通信ユニット５０１は、前記端末によって送信された非アクティブ状態でのセル信号測定結果、および／または前記端末によって決定された、前記ターゲットセカンダリノード構成におけるプライマリセルおよびセカンダリセルの識別子情報を受信し、前記非アクティブ状態でのセル信号測定結果に基づいて、前記ターゲットセカンダリノード構成における少なくとも１つのセカンダリセル対してアクティブ化コマンドを発行する。
【０１１１】
ここで、前記プライマリセルおよびセカンダリセルの識別子情報は、前記プライマリセルおよびセカンダリセルの物理セル識別子（ＰＣＩ）、前記プライマリセルおよびセカンダリセルのセル識別子（ＣＩ）、および前記ターゲットセカンダリノード構成における前記プライマリセルおよびセカンダリセルのインデックス情報のうちの少なくとも１つを含む。
【０１１２】
一実施形態では、前記通信ユニット５０１は、前記端末によって送信される少なくとも１つのアクティブ化されたセルの識別子情報を受信するように構成され、ここで、前記少なくとも１つのセルは、端末側が非アクティブ状態でのセル信号測定結果に基づいて、前記ターゲットセカンダリノード構成から決定した１つのプライマリセルおよびセカンダリセル、および／または少なくとも１つのセカンダリセルを含む。
【０１１３】
ここで、前記少なくとも１つのセルの識別子情報は、
前記１つのプライマリセルおよびセカンダリセル、および／または少なくとも１つのセカンダリセルの各物理セル識別子、
前記１つのプライマリセルおよびセカンダリセル、および／または少なくとも１つのセカンダリセルの各セル識別子、
前記ターゲットセカンダリノード構成における、前記１つのプライマリセルおよびセカンダリセル、および／または少なくとも１つのセカンダリセルの各インデックス情報、および
前記ターゲットセカンダリノード構成における前記１つのプライマリセルおよびセカンダリセルのインデックス情報および／または第１ビットマップ情報、のうちの少なくとも１つを含み、前記第１ビットマップ情報における各ビットは、前記ターゲットセカンダリノード構成における１つのセカンダリセルに対応し、前記ビットの値は、対応するセカンダリセルがアクティブ状態にあるか否かを示すために使用される。
【０１１４】
一実施形態では、前記通信ユニット５０１は、前記端末によって送信される第１要求メッセージを受信し、第１応答メッセージを前記端末に送信するように構成され、前記第１要求メッセージはＲＲＣ接続を回復するために使用され、前記第１応答メッセージは前記第１構成情報を含む。
【０１１５】
一実施形態では、前記ターゲット基地局側に少なくとも１つの隣接基地局の構成情報が設定され、前記情報構成装置は、さらに、処理ユニット５０２を備え、
前記処理ユニット５０２は、前記少なくとも１つの隣接基地局の構成情報に基づいて前記第１構成情報を決定するように構成される。
【０１１６】
一実施形態では、前記デュアル接続モードでは、前記ターゲット基地局は、ターゲットマスタノードとして使用され、前記ターゲットセカンダリノードとデュアル接続ネットワークを構成する。
【０１１７】
当業者なら自明であるが、本願実施例における上記の情報構成装置の関連する説明は、本願実施例における情報構成方法の関連する説明を参照することによって理解できる。
【０１１８】
図６は、本願実施例による通信機器６００の例示的な構造図である。当該通信機器は、端末またはネットワーク機器であり得る。図６に示される通信機器６００は、プロセッサ６１０を備え、プロセッサ６１０は、メモリからコンピュータプログラムを呼び出して実行することにより、本願実施例における方法を実現することができる。
【０１１９】
例示的に、図６に示されるように、通信機器６００はさらに、メモリ６２０を備えてもよい。ここで、プロセッサ６１０は、メモリ６２０からコンピュータプログラムを呼び出して実行することにより、本願実施例における方法を実現することができる。
【０１２０】
ここで、メモリ６２０は、プロセッサ６１０から独立した別個のデバイスであってもよく、プロセッサ６１０に統合されてもよい。
【０１２１】
例示的に、図６に示されるように、通信機器６００は、トランシーバ６３０をさらに備えてもよく、プロセッサ６１０は、他の機器と通信するように前記トランシーバ６３０を制御することができ、具体的には、情報またはデータを他の機器に送信するか、または他の機器によって送信される情報またはデータを受信することができる。
【０１２２】
ここで、トランシーバ６３０は、送信機および受信器を含み得る。トランシーバ６３０は、アンテナをさらに備えてもよく、アンテナの数は、１つまたは複数であり得る。
【０１２３】
例示的に、当該通信機器６００は、具体的には、本願実施例におけるネットワーク機器であってもよく、当該通信機器６００は、本願実施例における各方法においてネットワーク機器によって実現される対応するプロセスを実現でき、簡潔にするために、ここでは繰り返して説明しない。
【０１２４】
例示的に、当該通信機器６００は、具体的には、本願実施例におけるモバイル端末／端末であってもよく、当該通信機器６００は、本願実施例における各方法においてモバイル端末／端末によって実現される対応するプロセスを実現することができ、簡潔にするために、ここでは繰り返して説明しない。
【０１２５】
図７は、本願実施例によるチップの例示的な構造図である。図７に示されるチップ７００は、プロセッサ７１０を備え、プロセッサ７１０は、メモリからコンピュータプログラムを呼び出して実行することにより、本願実施例における方法を実現することができる。
【０１２６】
例示的に、図７に示されるように、チップ７００はさらに、メモリ７２０を備えてもよい。ここで、プロセッサ７１０は、メモリ７２０からコンピュータプログラムを呼び出して実行することにより、本願実施例における方法を実現することができる。
【０１２７】
ここで、メモリ７２０は、プロセッサ７１０から独立した別個のデバイスであってもよく、プロセッサ７１０に統合されてもよい。
【０１２８】
例示的に、当該チップ７００はさらに、入力インターフェース７３０を備えてもよい。ここで、プロセッサ７１０は、他の機器またはチップと通信するように前記入力インターフェース７３０を制御することができ、具体的には、他の機器またはチップによって送信される情報またはデータを取得することができる。
【０１２９】
例示的に、当該チップ７００はさらに、出力インターフェース７４０を備えてもよい。ここで、プロセッサ７１０は、他の機器またはチップと通信するように当該出力インターフェース７４０を制御することができ、具体的には、情報またはデータを他の機器またはチップに出力することができる。
【０１３０】
例示的に、当該チップは、本願実施例におけるネットワーク機器に適用されることができ、当該チップは、本願実施例における各方法において、ネットワーク機器によって実現される対応するプロセスを実現でき、簡潔にするために、ここでは繰り返して説明しない。
【０１３１】
例示的に、当該チップは、本願実施例におけるモバイル端末／端末に適用されてもよく、当該チップは、本願実施例における各方法においてモバイル端末／端末によって実現される対応するプロセスを実現することができ、簡潔にするために、ここでは繰り返して説明しない。
【０１３２】
本願実施例で言及されるチップは、システムレベルのチップ、システムチップ、チップシステム、またはシステムオンチップと呼ばれることもできることを理解されたい。
【０１３３】
図８は、本願実施例による通信システム９００の例示的なブロック図である。図８に示されるように、当該通信システム９００は、端末機器９１０およびネットワーク機器９２０を含む。
【０１３４】
ここで、当該端末機器９１０は、上記の方法において端末によって実現される対応する機能を実現するように構成されてもよく、当該ネットワーク機器９２０は、上記の方法においてネットワーク機器によって実現される対応する機能を実現するように構成されてもよく、簡潔にするために、ここでは繰り返して説明しない。
【０１３５】
本願実施例におけるプロセッサは、信号処理能力を有する集積回路チップであり得ることを理解されたい。実現プロセスにおいて、前述した方法の実施例の各ステップは、プロセッサ内のハードウェアの集積論理回路またはソフトウェアの形の命令によって完了することができる。前記プロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、または他のプログラマブルロジックデバイス、ディスクリートゲートまたはトランジスタロジックデバイス、ディスクリートハードウェアコンポーネント等であってもよく、本願実施例で開示された各方法、ステップ、及び論理ブロック図を実現または実行することができる。汎用プロセッサは、マイクロプロセッサであってもよく、または前記プロセッサは、任意の従来のプロセッサ等であってもよい。本願実施例で開示される方法のステップは、ハードウェア復号化プロセッサによって直接実行されてもよいし、復号化プロセッサ内のハードウェアとソフトウェアモジュールの組み合わせによって実行されてもよい。ソフトウェアモジュールは、ランダムアクセスメモリ、フラッシュメモリ、読み取り専用メモリ、プログラム可能な読み取り専用メモリ、または電気的に消去可能なプログラム可能なメモリ、レジスタ等の従来の記憶媒体に配置されることができる。当該記憶媒体はメモリ内に配置され、プロセッサはメモリ内の情報を読み取り、そのハードウェアと組み合わせて上記の方法のステップを完了する。
【０１３６】
本願実施例におけるメモリは、揮発性メモリまたは不揮発性メモリであってもよく、または揮発性および不揮発性メモリの両方を含んでもよいことが理解できる。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが限定的ではない例示によれば、多くの形のＲＡＭ、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）、およびダイレクトメモリバスランダムアクセスメモリ（ＤＲ  ＲＡＭ：Ｄｉｒｅｃｔ  Ｒａｍｂｕｓ  ＲＡＭ）などが利用可能である。本明細書で説明されるシステムおよび方法のためのメモリは、これらおよび他の任意の適切なタイプのメモリを含むが、これらに限定されないことを意図していることを留意されたい。
【０１３７】
前記メモリは、例示的なものであるが、限定的なものではないことを理解されたい。例えば、本願実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）、ダイレクトメモリバスランダムアクセスメモリ（ＤＲ  ＲＡＭ：Ｄｉｒｅｃｔ  Ｒａｍｂｕｓ  ＲＡＭ）などであってもよい。つまり、本願実施例におけるメモリは、これらおよび他の任意の適切なタイプのメモリを含むが、これらに限定されないことを意図している。
【０１３８】
本願実施例は、コンピュータプログラムを記憶するように構成されるコンピュータ可読記憶媒体をさらに提供する。
【０１３９】
例示的に、当該コンピュータ可読記憶媒体は、本願実施例におけるネットワーク機器に適用されてもよく、当該コンピュータプログラムは、コンピュータに、本願実施例における各方法においてネットワーク機器によって実現される対応するプロセスを実行させるように構成されてもよく、簡潔にするために、ここでは繰り返して説明しない。
【０１４０】
例示的に、当該コンピュータ可読記憶媒体は、本願実施例におけるモバイル端末／端末に適用されてもよく、当該コンピュータプログラムは、コンピュータに、本願実施例における各方法においてモバイル端末／端末によって実現される対応するプロセスを実行させるように構成されてもよく、簡潔にするために、ここでは繰り返して説明しない。
【０１４１】
本願実施例は、コンピュータプログラム命令を含むコンピュータプログラム製品をさらに提供する。
【０１４２】
例示的に、当該コンピュータプログラム製品は、本願実施例のネットワーク機器に適用されてもよく、当該コンピュータプログラム命令は、コンピュータに、本願実施例における各方法においてネットワーク機器によって実現される対応するプロセスを実行させるように構成されてもよく、簡潔にするために、ここでは繰り返して説明しない。
【０１４３】
例示的に、当該コンピュータプログラム製品は、本願実施例のモバイル端末／端末に適用されてもよく、当該コンピュータプログラム命令は、コンピュータに、本願実施例における各方法においてモバイル端末／端末によって実現される対応するプロセスを実行させるように構成されてもよく、簡潔にするために、ここでは繰り返して説明しない。
【０１４４】
本願実施例は、コンピュータプログラムをさらに提供する。
【０１４５】
例示的に、当該コンピュータプログラムは、本願実施例におけるネットワーク機器に適用されてもよく、当該コンピュータプログラムがコンピュータで実行される時に、コンピュータに、本願実施例における各方法においてネットワーク機器によって実現される対応するプロセスを実行させ、簡潔にするために、ここでは繰り返して説明しない。
【０１４６】
例示的に、当該コンピュータプログラムは、本願実施例のモバイル端末／端末に適用されてもよく、当該コンピュータプログラムがコンピュータで実行される時に、コンピュータに、本願実施例における各方法においてモバイル端末／端末によって実現される対応するプロセスを実行させ、簡潔にするために、ここでは繰り返して説明しない。
【０１４７】
当業者なら自明であるが、本明細書で開示される実施例を参照しながら説明された各例示のユニットおよびアルゴリズムステップは、電子ハードウェア、またはコンピュータソフトウェアと電子ハードウェアの組み合わせによって実現されてもよい。これらの機能がハードウェアの形で実行されるかソフトウェアの形で実行されるかは、技術的解決策の特定の用途および設計上の制約条件によって決定される。専門技術者は、各特定の用途に応じて異なる方法を使用して説明された機能を実現してもよいが、このような実現は本願の範囲を超えると見なされるべきではない。
【０１４８】
当業者なら明確に理解できるが、説明の便宜および簡潔のために、上記に説明されたシステム、装置およびユニットの具体的な作業プロセスは、前述の方法の実施例における対応するプロセスを参照することができ、ここでは繰り返して説明しない。
【０１４９】
本願で提供されるいくつかの実施例では、開示されたシステム、装置および方法は、他の方式で実現できることを理解されたい。例えば、上記で説明された装置の実施例は例示的なものに過ぎず、例えば、前記ユニットの分割は、論理機能の分割に過ぎず、実際の実現時には別の分割方法があり、例えば、複数のユニットまたはコンポーネントを別のシステムに統合または集積したり、または一部の特徴を無視したり、または実行しないことができる。なお、表示または議論された相互結合または直接結合または通信接続は、いくつかのインターフェースを使用して実現することができ、装置またはユニット間の間接的な結合または通信接続は、電気的または機械的な形であってもよいし、他の形であってもよいし。
【０１５０】
前記別個のコンポーネントとして説明されたユニットは、物理的に分離されていてもされなくてもよく、ユニットとして表示されたコンポーネントは、物理的ユニットでであってもなくてもよい。つまり、１箇所に配置されてもよく、複数のネットワークユニットに分散されてもよい。実際の需要に応じて、その中のユニットの一部または全部を選択して本実施例における技術的解決策の目的を達成することができる。
【０１５１】
さらに、本願の各実施例における各機能ユニットは１つの処理ユニットに統合されてもよく、または各ユニットが物理的に別々に存在してもよく、または２つまたは２つ以上のユニットが１つのユニットに統合されてもよい。
【０１５２】
前記機能ユニットがソフトウェア機能ユニットの形で実現され、かつ独立した製品として販売または使用される場合、コンピュータ可読記憶媒体に記憶されることができる。このような理解に基づいて、本願の技術的解決策の本質的な部分、つまり先行技術に貢献のある部分、または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなど、プログラムコードを記憶できる様々な媒体を含む。
【０１５３】
上記の内容は、本願の具体的な実施形態に過ぎず、本願の保護範囲はこれに限定されない。当業者は、本願で開示された技術的範囲内で容易に想到し得る変更または置換は、すべて本願の保護範囲内に含まれるべきである。したがって、本願の保護範囲は、特許請求の範囲の保護範囲に従うものとする。
【図１】
2022501860.tif 000003
【図２】
2022501860.tif 000004
【図３】
2022501860.tif 000005
【図４】
2022501860.tif 000006
【図５】
2022501860.tif 000007
【図６】
2022501860.tif 000008
【図７】
2022501860.tif 000009
【図８】
2022501860.tif 000010
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
情報構成方法であって、
端末が、ターゲット基地局によって送信される第１構成情報を受信することであって、前記第１構成情報は、少なくとも１つのセカンダリノード構成を含む、ことと、
前記端末が、前記少なくとも１つのセカンダリノード構成からターゲットセカンダリノード構成を決定し、前記ターゲットセカンダリノード構成がアクティブ状態になるようにトリガすることと、を含む、前記情報構成方法。
【請求項２】
前記端末が、前記少なくとも１つのセカンダリノード構成からターゲットセカンダリノード構成を決定し、前記ターゲットセカンダリノード構成がアクティブ状態になるようにトリガすることは、
前記第１構成情報が複数のセカンダリノード構成を含む場合、前記端末は、非アクティブ状態でのセル信号測定結果に基づいて、前記複数のセカンダリノード構成における１つのセカンダリノード構成をターゲットセカンダリノード構成として選択し、前記ターゲットセカンダリノード構成に対応するインデックス情報を前記ターゲット基地局に送信することにより、前記ターゲットセカンダリノード構成がアクティブ状態になるようにすることを含む、
請求項１に記載の情報構成方法。
【請求項３】
前記端末が、前記少なくとも１つのセカンダリノード構成からターゲットセカンダリノード構成を決定し、前記ターゲットセカンダリノード構成がアクティブ状態になるようにトリガすることは、
前記第１構成情報が１つのセカンダリノード構成を含む場合、前記端末は、前記第１構成情報を受信した後、前記１つのセカンダリノード構成をターゲットセカンダリノード構成として決定し、前記ターゲットセカンダリノード構成がアクティブ状態になることを含む、
請求項１または２に記載の情報構成方法。
【請求項４】
各前記セカンダリノード構成は、少なくとも１つのセルの構成情報を含み、前記端末は、前記少なくとも１つのセルのうちの１つのセルを、前記セカンダリノードのプライマリセルおよびセカンダリセルとして決定し、
前記少なくとも１つのセルは、１つの第１セルおよび／または少なくとも１つの第２セルを含み、前記第１セルは、ネットワーク側によって構成されたプライマリセルおよびセカンダリセルであり、前記第２セルは、ネットワーク側によって構成されたセカンダリセルであり、前記端末によって決定されたプライマリセルおよびセカンダリセルは、ネットワーク側によって構成されたプライマリセルおよびセカンダリセルと同じまたは異なる、
請求項１ないし３のいずれか一項に記載の情報構成方法。
【請求項５】
前記ターゲットセカンダリノード構成がアクティブ状態になることは、
前記ターゲットセカンダリノード構成において、前記端末によって決定されたプライマリセルおよびセカンダリセルは、アクティブ状態にあり、前記端末によって決定されたセカンダリセルは、非アクティブ状態にあることを含む、
請求項４に記載の情報構成方法。
【請求項６】
前記情報構成方法は、
前記端末が、非アクティブ状態でのセル信号測定結果、および／または前記端末によって決定された、前記ターゲットセカンダリノード構成におけるプライマリセルおよびセカンダリセルの識別子情報を前記ターゲット基地局に送信することをさらに含み、前記非アクティブ状態でのセル信号測定結果は、前記ターゲット基地局が、前記ターゲットセカンダリノード構成における少なくとも１つのセカンダリセルに対してアクティブ化コマンドを発行するようにトリガするために使用され、
前記プライマリセルおよびセカンダリセルの識別子情報は、前記プライマリセルおよびセカンダリセルの物理セル識別子、前記プライマリセルおよびセカンダリセルのセル識別子、および前記ターゲットセカンダリノード構成における前記プライマリセルおよびセカンダリセルのインデックス情報のうちの少なくとも１つを含む、
請求項５に記載の情報構成方法。
【請求項７】
前記情報構成方法は、
前記端末が、非アクティブ状態でのセル信号測定結果に基づいて、前記ターゲットセカンダリノード構成から、アクティブ化された少なくとも１つのセルを決定し、前記アクティブ化された少なくとも１つのセルの識別子情報を前記ターゲット基地局に送信することをさらに含み、前記少なくとも１つのセルは、端末側によって決定された１つのプライマリセルおよびセカンダリセル、および／または少なくとも１つのセカンダリセルを含む、
請求項５に記載の情報構成方法。
【請求項８】
前記少なくとも１つのセルの識別子情報は、
前記１つのプライマリセルおよびセカンダリセル、および／または少なくとも１つのセカンダリセルの各物理セル識別子、
前記１つのプライマリセルおよびセカンダリセル、および／または少なくとも１つのセカンダリセルの各セル識別子、
前記ターゲットセカンダリノード構成における、前記１つのプライマリセルおよびセカンダリセル、および／または少なくとも１つのセカンダリセルの各インデックス情報、および
前記ターゲットセカンダリノード構成における前記１つのプライマリセルおよびセカンダリセルのインデックス情報および／または第１ビットマップ情報、のうちの少なくとも１つを含み、前記第１ビットマップ情報における各ビットは、前記ターゲットセカンダリノード構成における１つのセカンダリセルに対応し、前記ビットの値は、対応するセカンダリセルがアクティブ状態にあるか否かを示すために使用される、
請求項７に記載の情報構成方法。
【請求項９】
前記端末が、ターゲット基地局によって送信される第１構成情報を受信することは、
端末が第１要求メッセージをターゲット基地局に送信することであって、前記第１要求メッセージは、ＲＲＣ接続を回復するために使用される、ことと、
前記端末が、前記ターゲット基地局によって送信される第１応答メッセージを受信することであって、前記第１応答メッセージは、前記第１構成情報を含む、こととを含む、
請求項１ないし８のいずれか一項に記載の情報構成方法。
【請求項１０】
前記ターゲット基地局側に少なくとも１つの隣接基地局の構成情報が設定され、前記第１構成情報は、前記少なくとも１つの隣接基地局の構成情報に基づいて前記ターゲット基地局によって決定されたものである、
請求項９に記載の情報構成方法。
【請求項１１】
前記端末は、デュアル接続モードをサポートし、前記デュアル接続モードでは、前記ターゲット基地局が、ターゲットマスタノードとして使用され、前記ターゲットセカンダリノードとデュアル接続ネットワークを構成する、
請求項１ないし１０のいずれか一項に記載の情報構成方法。
【請求項１２】
情報構成方法であって、
ターゲット基地局が第１構成情報を端末に送信することを含み、前記第１構成情報は、少なくとも１つのセカンダリノード構成を含み、前記少なくとも１つのセカンダリノード構成は、前記端末がターゲットセカンダリノード構成を決定し、前記ターゲットセカンダリノード構成がアクティブ状態になるようにトリガするために使用される、前記情報構成方法。
【請求項１３】
前記第１構成情報が１つのセカンダリノード構成を含む場合、前記ターゲット基地局が前記第１構成情報を前記端末に送信した後、前記１つのセカンダリノード構成は、前記端末によって、アクティブ状態のターゲットセカンダリノード構成として決定される、
請求項１２に記載の情報構成方法。
【請求項１４】
前記ターゲット基地局が第１構成情報を端末に送信することは、
前記ターゲット基地局が、前記端末によって送信される第１要求メッセージを受信することであって、前記第１要求メッセージはＲＲＣ接続を回復するために使用される、ことと、
前記ターゲット基地局が、第１応答メッセージを前記端末に送信することであって、前記第１応答メッセージは前記第１構成情報を含む、ことと、を含む、
請求項１２または１３に記載の情報構成方法。
【請求項１５】
前記デュアル接続モードでは、前記ターゲット基地局は、ターゲットマスタノードとして使用され、前記ターゲットセカンダリノードとデュアル接続ネットワークを構成する、
請求項１２ないし１４のいずれか一項に記載の情報構成方法。
【請求項１６】
端末であって、プロセッサと、メモリと、を備え、前記メモリは、コンピュータプログラムを記憶するように構成され、前記プロセッサは、前記メモリに記憶されたコンピュータプログラムを呼び出して実行することにより、請求項１ないし１１のいずれか一項に記載の方法を実行するように構成される、前記端末。
【請求項１７】
ネットワーク機器であって、プロセッサと、メモリと、を備え、前記メモリ、コンピュータプログラムを記憶するように構成され、前記プロセッサは、前記メモリに記憶されたコンピュータプログラムを呼び出して実行することにより、請求項１２ないし１５のいずれか一項に記載の方法を実行するように構成される、前記ネットワーク機器。
【国際調査報告】
2022501860.tif 000011
2022501860.tif 000012
2022501860.tif 000013
2022501860.tif 000014